(57)【要約】【課題】  近隣住民の憩いの場や子供の遊び場としての機能だけでなく、歩行者の迂回場所として、犯罪や事故等の発生を未然に防ぎ、住民の安全確保に寄与しうる防犯効果の高いポケットパークを提供する。【解決手段】  本発明のポケットパーク１は、道路３に面する民地に設置され、該道路３に接続する出入口１２が少なくとも２箇所に設けられて、それら少なくとも２箇所の出入口１２が園内歩道１４によって接続されている。出入口１２または園内歩道１４には、通行者の携行品に付属した非接触型ＩＣタグを読み取るタグ読取装置１５が配設されて、このタグ読取装置１５に接続された適宜のデータネットワークシステムによって、通行者の通行状況データが常時把握されることを特徴とする。【選択図】  図１
2005293455.tif 000002
【特許請求の範囲】
【請求項１】
道路に面する民地に設置され、該道路に接続する出入口が少なくとも２箇所に設けられて、それら少なくとも２箇所の出入口が園内歩道によって接続されたポケットパークであって、
出入口または園内歩道には、通行者の携行品に付属した非接触型ＩＣタグを読み取るタグ読取装置が配設されて、このタグ読取装置に接続された適宜のデータネットワークシステムにより、通行者の通行状況データが常時把握されることを特徴とするポケットパーク。
【請求項２】
道路に面する民地に設置され、該道路に接続する出入口が少なくとも２箇所に設けられて、それら少なくとも２箇所の出入口が園内歩道によって接続されたポケットパークであって、
前記出入口近傍に、出入口の周囲を撮影するネットワークカメラが装備されていることを特徴とするポケットパーク。
【請求項３】
道路に面する民地に設置され、該道路に接続する出入口が少なくとも２箇所に設けられて、それら少なくとも２箇所の出入口が園内歩道によって接続されたポケットパークであって、
前面道路の歩道部分に、歩道部分をさえぎる植栽が設けられて、歩道部分を通行する歩行者が園内に誘導されるように構成されたことを特徴とするポケットパーク。
【請求項４】
道路に面する民地に設置され、該道路に接続する出入口が少なくとも２箇所に設けられて、それら少なくとも２箇所の出入口が園内歩道によって接続されたポケットパークであって、
園内には防犯ブザーや報知器等の防犯機器が設置されたことを特徴とするポケットパーク。
【発明の詳細な説明】
【技術分野】
【０００１】
本発明は、住区内の沿道等の民地に設けられるポケットパークに関する。
【背景技術】
【０００２】
住宅団地等の住区内の沿道には、子供の遊び場や近隣住民の憩いの場としてポケットパークが整備される。従来のポケットパークは、例えば、特許文献１、２等に記載されているように、園内に植栽やベンチが備えられた小規模な公園として計画されることが一般的である。この種のポケットパークは、通常車両が進入できないように設計されることで、子供や高齢者の安全を図っている。
【特許文献１】特開２００２−２２０８０７号公報
【特許文献２】特開２００２−２４２４５５号公報
【発明の開示】
【発明が解決しようとする課題】
【０００３】
しかし、上記従来の一般的な公園は、園内に大人がいない場合には遊んでいる子供の安全を確保しにくく、また、周囲に建物があると園内への視線をさえぎってしまい、見通しが悪くなるので、子供や高齢者にとって必ずしも安全な場所とは言えない現状がある。
【０００４】
また最近では、子供の通学路や自宅周辺において、車に連れ込まれたり、斬り付けられたりするなど、子供への犯罪や事故が増加しており、特に、園児や小学校低学年の子供などは力が弱く、抵抗できないため、このような犯罪に対する対策が急務になっている。
【０００５】
加えて、子供の通学路となる住宅団地等の住区内の道路は、その幅員によっては、歩行者、自転車および自動車が混在して通行していることがあり、歩行者の傍らを通る自動車や自転車等からの被害を受けやすい状況にある。また、歩行者は、道路で被害に遭いそうになったときに、これを避けるために逃げようとしても逃げ場がなく、すぐにその場から通報しようとしても手段がなくどうしようもないことがある。
【０００６】
かかる問題に対し、例えば通学路の電柱等の高所に防犯カメラを取り付けて監視し、防犯対策を図ることも考えられるが、カメラ設置の際には高所作業車や専門の作業技術者も必要となるので作業コストがかかり、電力会社への手続きや電柱使用料も必要となるとともに、作業車の駐車スペースを確保するために道路を管理する行政への道路占有許可申請等の煩雑な手続きが必要になって、速やかに設置できないことが多い。また、このような場所に防犯カメラを設置できたとしても、これらの手間や作業コストがかかるので維持管理が行き届かず、十分に活用されにくいといった現状もある。
【０００７】
そこで本発明は、上記のような問題点にかんがみてなされたものであり、近隣住民の憩いの場や子供の遊び場としてだけでなく、歩行者のための緊急の迂回場所としてポケットパークを見直し、さらに、犯罪や事故等の発生を未然に防ぐ犯罪防止および犯罪抑止効果を高めて、住民の安全確保に寄与しうるポケットパークを提供することを目的としている。
【課題を解決するための手段】
【０００８】
上記した目的を達成するため、本発明は、道路に面する民地に設置され、該道路に接続する出入口が少なくとも２箇所に設けられて、それら少なくとも２箇所の出入口が園内歩道によって接続されたポケットパークであって、出入口または園内歩道には、通行者の携行品に付属した非接触型ＩＣタグを読み取るタグ読取装置が配設されて、このタグ読取装置に接続された適宜のデータネットワークシステムにより、通行者の通行状況データが常時把握されることを特徴とする。
【０００９】
この構成によれば、道路の歩行者は園内を通ることで道路を迂回でき、道路を通る自動車等からの被害を防止することができる。また、適宜のデータネットワークシステムを介して通行者の通行状況データが常時把握されるので、かかるデータを例えば通行者の家人等に即時に伝えることができる。したがって、あるポケットパークを誰がいつ通過したか、また、次のポケットパークをいつ通過したか、という場所および時間情報を得ることが可能となる。そこで、本発明のポケットパークを、子供が被害に遭うおそれのある通学路に適宜間隔で設けることで、子供の登下校状況を把握したり、万一の事件や事故に素早く対応したりすることができるようになる。また、把握された通行状況データを利用して、家族の帰宅時間を推測したり、家族を迎えに行ったりするような使い方もでき、日常生活の利便性を図ることができる。
【００１０】
また、本発明に係るポケットパークは、出入口近傍に、出入口の周囲を撮影するネットワークカメラが装備されていることにより、園内の見通しを補完し、犯意の抑制を図ることができる。
【００１１】
また、本発明に係るポケットパークにおいては、前面道路の歩道部分に、歩道部分をさえぎる植栽が設けられて、歩道部分を通行する歩行者が園内に誘導されるように構成されていてもよい。これにより、より多くの通行状況データを自然に収集することが可能となって、収集されたデータの信頼性が高まり、通行状況データの多岐に渡る活用が期待できる。
【００１２】
さらに、本発明のポケットパークには、上記のほか、センサーや防犯ブザー、報知器等の防犯機器が園内に設置されてもよい。これにより、万一の事件や事故等の発生にも迅速に対応することもできる。
【発明の効果】
【００１３】
上述のように構成される本発明のポケットパークによれば、近隣住民の憩いの場や子供の遊び場として利用するだけでなく、歩行者が被害に遭うおそれのある道路からの迂回路としても利用できるので、歩行者の傍らを通る自動車等からの被害を防ぐことが可能になる。また、本発明のポケットパークにおいて、ＩＣタグおよびタグ読取装置を使用して園内の通行状況データを把握したり、ネットワークカメラを設置したりすることによって、犯意の抑制を図るとともに、万一の事件や事故に素早く対応することができるので、犯罪や事故等の発生を未然に防ぎ、周辺地域の安心や安全を確保することができる。さらに、本発明のポケットパークを適切な間隔で道路に連続的に配置することにより、長く危険な道路でも安全性を高めることができる。
【００１４】
さらに、本発明のポケットパークは、住宅団地等の造成段階から用地を確保して適切な場所の民地に設けられることで、将来の防犯機器の拡充に際しても、行政等への煩雑な手続が不要であり、設置コストや維持管理コストを抑えて柔軟に対応することができるようになる。
【発明を実施するための最良の形態】
【００１５】
以下、本発明に係るポケットパークを実施するための最良の形態について、図面を参照しつつ説明する。
【００１６】
図１および図２は本発明のポケットパークを示し、図１はポケットパークの平面図、図２は図１のポケットパークを歩道側から見た側面図である。
【００１７】
ポケットパーク１は、歩道３１を有する道路３に面した民地に設けられ、この歩道３１に接続する園内への出入口１２を２箇所に備えている。また、これら２箇所の出入口１２は、園内を回遊するように設けられた園内歩道１４によって接続されている。
【００１８】
このポケットパーク１の園内には植栽１１が施されて、園内歩道１４の近傍にはベンチ１３が備え付けられている。このように、園内歩道１４やベンチ１３が設けられることで、近隣の住民が散歩に利用したり、住民同士で座ってゆっくりと会話をしたりすることができるようになっている。
【００１９】
また、ポケットパーク１には、２箇所の出入口１２および敷地境界部分にゲート１２１が設けられている。ゲート１２１は、園内への見通しを考慮するとともに、周囲の住戸の窓などへの侵入の足場とならない位置、構造および高さとなるように形成されて、その意匠性にも配慮されている。
【００２０】
また、例示の形態では、２箇所の出入口１２と、園内歩道１４の途中との３箇所に、タグ読取装置１５が配設されている。タグ読取装置１５は、近隣住民にそれぞれ固有のＩＤ情報を記録した非接触型のＩＣタグを読み取ることができるようになっている。すなわち、近隣住民がこのＩＣタグを携行して外出することで、ポケットパーク１の園内を通過する際に、タグ読取装置１５がＩＣタグのＩＤ情報を読み取り、その通行状況データが収集されるシステムである。例えば、ＩＣタグが住民各自の靴に装着されていれば、出入口１２を通過した時、および園内歩道１４のタグ読取装置１５の上を通過した時に、それぞれ靴に装着されたＩＣタグを読み取り、その通行者と、通過日時等の通行状況データが収集されることになる。
【００２１】
このタグ読取装置１５には、適宜のデータネットワークシステムが接続されている。したがって、例えば、タグ読取装置１５によって収集された通行者の通行状況データは、中央サーバに送信されるとともに、該サーバにあらかじめ登録されている連絡先メールアドレス宛てに通知される。そして、その通行者がポケットパーク１に入ったこと、あるいは通行者がポケットパーク１を出たことなどの通行者に関する情報が常時把握される。
【００２２】
したがって、子供の靴にＩＣタグを装着しておくことで、保護者は子供の登下校状況を把握することができるようになるほか、子供が遊びに行ったり、塾に行ったりして一人で外出する際にも、ポケットパーク１の通行時には保護者の携帯電話やパソコン等の通信手段に通行状況データが送信されてくるので、子供の行動や安全状況を確認することができるようになる。
【００２３】
このようにＩＣタグを付属させる携行品としては、靴のほか、カードやストラップに埋め込んで常時携帯したり、バッグ等にぶら下げたりすることができるようにすることが好ましい。
【００２４】
また、ポケットパーク１の出入口１２近傍には、インターネット等の適宜のネットワークシステムを経由して遠隔から映像監視やカメラ操作が可能なネットワークカメラ１６が設けられている。このネットワークカメラ１６は、見通しの確保された有効な位置に、適切な台数が配置されることが望ましく、例示の形態ではゲート１２１中央の頂部に設置されて、園内および出入口１２の周囲を撮影できるようになっている。また、このようにネットワークカメラ１６をゲート１２１に取り付けることで、ネットワークカメラ１６の存在を園内の雰囲気に調和させ、景観を損なうことなく防犯性を高めることができる。
【００２５】
さらに、本発明に係るポケットパーク１は、前面道路３の歩道３１に、歩道３１をさえぎるように植栽１７が設けられている。かかる植栽１７を設けることによって、歩道３１を通行する歩行者が園内に誘導されるようになるので、より多くの通行状況データを収集することが可能となって防犯性が高められる。
【００２６】
このほか、ポケットパーク１の園内には適宜の音センサーや防犯ブザー、非常連絡装置等の防犯機器１８や、夜間でも通行者の行動を視認できる程度以上の照度を備えた照明設備１９が設置されている。これにより、万一の事件や事故を素早く通報することができるとともに、夜間でも安心して通行することができる。
【００２７】
以上のように構成されるポケットパーク１は、住区内の道路３に適宜間隔で複数箇所に設けられることが望ましい。さらに、住区内で死角になるおそれのある場所や、交通安全上危険な場所等に適切に計画されることで、歩道部分の見通しを補完したり、犯意を抑制したりすることができるので、犯罪や事故を未然に防ぐことが可能となる。また、ポケットパーク１の配置間隔を狭めると、住区内の道路の安全性をより高めることができ、非常時の通報も容易に行うことができる。
【００２８】
また、かかるポケットパーク１を、住宅団地等の造成段階から用地を確保して民地に設けておくことで、将来さらに防犯設備機器を増設する必要が生じたときに、ポケットパーク１内であれば、行政等への煩雑な手続を必要とせず容易に迅速かつ設置でき、電柱使用料等のコストもかからない。
【００２９】
さらに、ポケットパーク１の通行状況データを常時把握することによって、例えば保護者は、子供の行動パターンや下校途中の状況を推定できるので、子供の帰宅時間を推測したり、雨が降っている日には反応のあったポケットパーク１まで迎えに行ったりするなど、日常生活における利便性も高めることができる。そのほか、万一、子供が行方不明になった場合には、ポケットパーク１における通行状況データをもとに子供の足取りをつかみ、早期発見を図ることができる。
【００３０】
なお、本発明に係るポケットパーク１は、上記の実施形態の構成に限定されず、敷地の面する道路条件に応じて出入口１２が３箇所以上に設けられて、それぞれが園内歩道１４で接続されていてもよい。また、園内のタグ読取装置１５の設置数も上記構成に限定されず、園内の広さに合わせて適宜増減されることが好ましい。
【産業上の利用可能性】
【００３１】
本発明に係るポケットパークは、住宅団地等の住区内の沿道に設けて、主に歩行者の安全を確保して防犯性の高いまちづくりの推進に利用することができる。
【図面の簡単な説明】
【００３２】
【図１】本発明に係るポケットパークの一例を示す平面図である。
【図２】図１のポケットパークの側面図である。
【符号の説明】
【００３３】
ポケットパーク  １
植栽            １１
出入口          １２
ベンチ          １３
園内歩道        １４
タグ読取装置    １５
ネットワークカメラ    １６
植栽（歩道部分）      １７
防犯機器        １８
照明設備        １９
道路            ３
歩道            ３１
【図１】
2005293455.tif 000003
【図２】
2005293455.tif 000004